(57)【要約】【課題】プライミング処理時の雑菌汚染の発生を従来よりも抑制可能なオス型シャントキャップを提供する。【解決手段】内部に貫通孔が形成された管状の本体部１１０と、本体部１１０の一方端に配置され、所定方向に開口する嵌合部１２０と、嵌合部１２０の開口した部分を閉塞する栓部１４０とを備えるオス型シャントキャップ１００。嵌合部１２０は、本体部１１０の貫通孔に連通する貫通孔が内部に形成された管状の内側筒部１２２と、内側筒部１２２の外面を囲むように、内側筒部１２２の外面との間に所定の間隔を設けて配置された外側筒部１２８とを有する。【選択図】図２
2010279494.tif 000002
【特許請求の範囲】
【請求項１】
内部に貫通孔（１１２）が形成された管状の本体部（１１０）と、
前記本体部（１１０）の一方端に配置され、所定方向に開口する嵌合部（１２０）と、
前記嵌合部（１２０）の前記開口した部分を閉塞する栓部（１４０）とを備え、
前記嵌合部（１２０）は、
前記本体部（１１０）の前記貫通孔（１１２）に連通する貫通孔（１２３）が内部に形成された管状の内側筒部（１２２）と、
前記内側筒部（１２２）の外面（１２５）を囲むように、前記内側筒部（１２２）の外面（１２５）との間に所定の間隔を設けて配置された外側筒部（１２８）とを有することを特徴とするオス型シャントキャップ（１００）。
【請求項２】
請求項１に記載のオス型シャントキャップにおいて、
前記本体部（１１０）の管軸に対して垂直方向から前記嵌合部（１２０）を見たとき、
前記外側筒部（１２８）の端縁のうち前記栓部（１４０）によって前記開口部分が閉塞されたときに前記栓部（１４０）と対向する側の端縁（１３１）の位置は、前記内側筒部（１２２）の端縁のうち前記栓部（１４０）によって前記開口部分が閉塞されたときに前記栓部（１４０）と対向する側の端縁（１２６）の位置と同じ位置又は前記内側筒部の端縁（１２６）の位置に対して前記本体部（１１０）とは反対側に偏倚した位置にあることを特徴とするオス型シャントキャップ（１００）。
【請求項３】
請求項１又は２に記載のオス型シャントキャップにおいて、
前記内側筒部（１２２）の外径寸法は、前記栓部（１４０）によって前記開口部分が閉塞されたときに前記栓部（１４０）と対向する側から前記本体部（１１０）側に向かうにしたがって大きくなるように設定されていることを特徴とするオス型シャントキャップ（１００）。
【請求項４】
請求項１〜３のいずれか一項に記載のオス型シャントキャップにおいて、
前記内側筒部（１２２）の外面（１２５）の一部及び前記外側筒部（１２８）の内面（１２９）の一部のうち少なくとも一方に設けられた突起部（１３２）をさらに有することを特徴とするオス型シャントキャップ（１００）。
【請求項５】
請求項１〜３のいずれか一項に記載のオス型シャントキャップにおいて、
前記内側筒部（１２２）の外面（１２５）の一部及び前記外側筒部（１２８）の内面（１２９）の一部のうち少なくとも一方に設けられた溝部をさらに有することを特徴とするオス型シャントキャップ。
【請求項６】
請求項１〜５のいずれか一項に記載のオス型シャントキャップにおいて、
前記外側筒部（１２８）の端縁のうち前記栓部（１４０）によって前記開口部分が閉塞されたときに前記栓部（１４０）と対向する側の端縁（１３１）には、所定形状の切り欠き（１３３）が設けられており、
前記栓部（１４０）には、前記切り欠き（１３３）の形状に対応する形状からなる突起（１４６）が形成されていることを特徴とするオス型シャントキャップ（１００）。
【請求項７】
回路部材（２０，３０）と、
前記回路部材（２０）の一方端に接続可能に構成され、オス型の嵌合部を有するオス型シャントキャップ（１００）と、
前記回路部材（３０）の他方端に接続可能に構成され、前記オス型の嵌合部と嵌合可能なメス型の嵌合部を有するメス型シャントキャップ（２００）とを備え、
前記オス型シャントキャップは、請求項１〜６のいずれか一項に記載のオス型シャントキャップであることを特徴とする体外循環回路（１）。
【発明の詳細な説明】
【技術分野】
【０００１】
本発明は、オス型シャントキャップ及び体外循環回路に関する。
【背景技術】
【０００２】
血液透析等に用いられる体外循環回路は、通常、使用するごとに体外循環回路内にプライミング液（例えば生理食塩水）を導入・充填し、体外循環回路内の異物及び空気を除去する処理（いわゆるプライミング処理）を行っている。
体外循環回路をプライミング処理する際に用いられるシャントキャップとして、従来、シャントキャップ同士の接続部分がオス−メス嵌合可能に構成されたシャントキャップが知られている（例えば、特許文献１参照。）。
【０００３】
図２０は、従来のシャントキャップ８００，９００を説明するために示す図である。図２０（ａ）はシャントキャップ８００，９００同士が接続されていない状態を示す図であり、図２０（ｂ）はシャントキャップ８００，９００同士が接続された状態を示す図である。
従来のシャントキャップ８００，９００は、図２０に示すように、内部に貫通孔が形成された管状の本体部８１０，９１０と、本体部８１０，９１０の一方端に配置され、所定方向に開口する嵌合部８２０，９２０と、嵌合部８２０，９２０の開口した部分を閉塞する栓部８４０，９４０とを備える。嵌合部８２０，９２０は、シャントキャップ８００，９００同士の接続部分となる管状体であって、一方側のシャントキャップ８００の嵌合部８２０は、他方側のシャントキャップ９００の嵌合部９２０に比べて径が小さくなるように構成されている。すなわち、嵌合部８２０と嵌合部９２０とがオス−メス嵌合可能に構成されている。この場合、径の小さな方の嵌合部８２０を備えるシャントキャップ８００がオス型シャントキャップであり、径の大きな方の嵌合部９２０を備えるシャントキャップ９００がメス型シャントキャップである。
【０００４】
従来のシャントキャップ８００，９００によれば、嵌合部８２０，９２０がオス−メス嵌合可能に構成されているため、オス型シャントキャップ８００の嵌合部８２０とメス型シャントキャップ９００の嵌合部９２０とを接続することにより、体外循環回路を比較的容易にプライミング処理することが可能となる。また、各シャントキャップ８００，９００には栓部８４０，９４０が設けられているため、メス型シャントキャップの嵌合部に体外循環回路のコネクタ部を直接接続する場合（例えば特許文献２参照。）に比べて、接続部分が雑菌で汚染されるのを抑制することが可能となる。
【先行技術文献】
【特許文献】
【０００５】
【特許文献１】登録実用新案第３０５４６６１号公報
【特許文献２】特開平１０−３２８２９８号公報
【発明の概要】
【発明が解決しようとする課題】
【０００６】
ところで、このような体外循環回路を扱う業界においては、プライミング処理時の雑菌汚染の発生をさらに抑制したいという要望がある。
【０００７】
そこで、本発明は、このような事情に鑑みてなされたもので、プライミング処理時の雑菌汚染の発生を従来よりも抑制可能なオス型シャントキャップ及び体外循環回路を提供することを目的とする。
【課題を解決するための手段】
【０００８】
［１］本発明のオス型シャントキャップ（１００）は、内部に貫通孔（１１２）が形成された管状の本体部（１１０）と、前記本体部（１１０）の一方端に配置され、所定方向に開口する嵌合部（１２０）と、前記嵌合部（１２０）の前記開口した部分を閉塞する栓部（１４０）とを備え、前記嵌合部（１２０）は、前記本体部（１１０）の前記貫通孔（１１２）に連通する貫通孔（１２３）が内部に形成された管状の内側筒部（１２２）と、前記内側筒部（１２２）の外面（１２５）を囲むように、前記内側筒部（１２２）の外面（１２５）との間に所定の間隔を設けて配置された外側筒部（１２８）とを有することを特徴とする。
【０００９】
このため、本発明のオス型シャントキャップによれば、上記した栓部を備えているため、必要時まで嵌合部の開口部分を栓部で閉塞しておくことが可能となる。その結果、メス型シャントキャップとの接続部分となる嵌合部が雑菌で汚染されるのを抑制することが可能となる。
また、本発明のオス型シャントキャップによれば、内側筒部の外面を囲むようにして外側筒部が設けられているため、内側筒部の外面が外側筒部でカバーされることとなる。この内側筒部の外面は、メス型シャントキャップとの接続時においてメス型シャントキャップの嵌合部内面と接する部分であることから、内側筒部の外面が外側筒部でカバーされた構成とすることにより、結果として、雑菌汚染の発生をさらに抑制することが可能となる。
したがって、本発明のオス型シャントキャップは、プライミング処理時の雑菌汚染の発生を従来よりも抑制可能なオス型シャントキャップとなる。
【００１０】
［２］上記［１］に記載のオス型シャントキャップ（１００）においては、前記本体部（１１０）の管軸に対して垂直方向から前記嵌合部（１２０）を見たとき、前記外側筒部（１２８）の端縁のうち前記栓部（１４０）によって前記開口部分が閉塞されたときに前記栓部（１４０）と対向する側の端縁（１３１）の位置は、前記内側筒部（１２２）の端縁のうち前記栓部（１４０）によって前記開口部分が閉塞されたときに前記栓部（１４０）と対向する側の端縁（１２６）の位置と同じ位置又は前記内側筒部の端縁（１２６）の位置に対して前記本体部（１１０）とは反対側に偏倚した位置にあることが好ましい。
【００１１】
このように構成することにより、外側筒部によって内側筒部の外面を確実にカバーすることができるため、雑菌汚染の発生をさらに抑制することが可能となる。
【００１２】
［３］上記［１］又は［２］に記載のオス型シャントキャップ（１００）においては、前記内側筒部（１２２）の外径寸法は、前記栓部（１４０）によって前記開口部分が閉塞されたときに前記栓部（１４０）と対向する側から前記本体部（１１０）側に向かうにしたがって大きくなるように設定されていることが好ましい。
【００１３】
このように構成することにより、メス型シャントキャップとの接続が比較的容易となるとともに、メス型シャントキャップとの接続をより確実にすることが可能となる。
【００１４】
［４］上記［１］〜［３］のいずれか１つに記載のオス型シャントキャップ（１００）においては、前記内側筒部（１２２）の外面（１２５）の一部及び前記外側筒部（１２８）の内面（１２９）の一部のうち少なくとも一方に設けられた突起部（１３２）をさらに有することが好ましい。
【００１５】
［５］上記［１］〜［３］のいずれか１つに記載のオス型シャントキャップ（１００）においては、前記内側筒部（１２２）の外面（１２５）の一部及び前記外側筒部（１２８）の内面（１２９）の一部のうち少なくとも一方に設けられた溝部をさらに有することが好ましい。
【００１６】
メス型シャントキャップとして、嵌合部の先端部に突起や溝などの係止手段が設けられたメス型シャントキャップを用いた場合、上記［４］又は［５］に記載した構成とすることにより、オス型シャントキャップとメス型シャントキャップとを接続したときに、オス型シャントキャップの突起部又は溝部とメス型シャントキャップの係止手段とが互いに引っ掛かり合うこととなる。その結果、メス型シャントキャップとの接続強度（外れにくさ）を高めることが可能となる。
【００１７】
［６］上記［１］〜［５］のいずれか１つに記載のオス型シャントキャップ（１００）においては、前記外側筒部（１２８）の端縁のうち前記栓部（１４０）によって前記開口部分が閉塞されたときに前記栓部（１４０）と対向する側の端縁（１３１）には、所定形状の切り欠き（１３３）が設けられており、前記栓部（１４０）には、前記切り欠き（１３３）の形状に対応する形状からなる突起（１４６）が形成されていることが好ましい。
【００１８】
このように構成することにより、外側筒部の切り欠きと栓部の突起とが互いに噛み合うようにして栓部を嵌合部に嵌めたときには、液密性を維持することができ、外側筒部の切り欠きと栓部の突起とが噛み合わないように所定量ずらして栓部を嵌合部に嵌めたときには、通気性を確保することができる。
【００１９】
［７］本発明の体外循環回路（１）は、回路部材（２０，３０）と、前記回路部材（２０）の一方端に接続可能に構成され、オス型の嵌合部を有するオス型シャントキャップ（１００）と、前記回路部材（３０）の他方端に接続可能に構成され、前記オス型の嵌合部と嵌合可能なメス型の嵌合部を有するメス型シャントキャップ（２００）とを備え、前記オス型シャントキャップは、上記［１］〜［６］のいずれか１つに記載のオス型シャントキャップであることを特徴とする。
【００２０】
このため、本発明の体外循環回路によれば、上記の優れたオス型シャントキャップを備えているため、プライミング処理時の雑菌汚染の発生を従来よりも抑制可能な体外循環回路となる。
【００２１】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００２２】
【図１】実施形態に係る体外循環回路１を説明するために示す図。
【図２】オス型シャントキャップ１００の斜視図。
【図３】オス型シャントキャップ１００の正面図。
【図４】オス型シャントキャップ１００の背面図。
【図５】オス型シャントキャップ１００の左側面図。
【図６】オス型シャントキャップ１００の右側面図。
【図７】オス型シャントキャップ１００の平面図。
【図８】オス型シャントキャップ１００の底面図。
【図９】嵌合部１２０周辺部分の拡大正面図。
【図１０】オス型シャントキャップ１００の内部構造を説明するために示す図。
【図１１】図５のＢ−Ｂ線断面図。
【図１２】図６のＣ−Ｃ線断面の拡大図。
【図１３】オス型シャントキャップ１００の内部構造を説明するために示す図。
【図１４】メス型シャントキャップ２００の斜視図。
【図１５】メス型シャントキャップ２００の正面図。
【図１６】メス型シャントキャップ２００の右側面図。
【図１７】図１６のＥ−Ｅ線断面図。
【図１８】オス型シャントキャップ１００とメス型シャントキャップ２００とが接続される様子を示す図。
【図１９】変形例に係る嵌合部１２０ａ周辺部分の拡大正面図。
【図２０】従来のシャントキャップ８００，９００を説明するために示す図。
【発明を実施するための形態】
【００２３】
以下、本発明のオス型シャントキャップ及び体外循環回路について、図に示す実施の形態に基づいて説明する。
【００２４】
［実施形態］
まず、実施形態に係る体外循環回路１の構成について、図１を用いて説明する。
図１は、実施形態に係る体外循環回路１を説明するために示す図である。図１（ａ）は体外循環回路１の概略図であり、図１（ｂ）はオス型シャントキャップ１００とメス型シャントキャップ２００との接続部分を拡大して示す図である。
【００２５】
実施形態に係る体外循環回路１は、血液透析用の体外循環回路であって、図１（ａ）に示すように、血液処理器（ダイアライザーともいう。）１０と、回路部材としての動脈側回路２０及び静脈側回路３０と、動脈側回路２０の端部に接続されたオス型シャントキャップ１００と、静脈側回路３０の端部に接続されたメス型シャントキャップ２００とを備える。血液処理器１０は、例えば中空糸型の血液処理器である。動脈側回路２０は、血液処理器１０の一方端部に接続されており、静脈側回路３０は、血液処理器１０の他方端部に接続されている。
【００２６】
動脈側回路２０は、図１（ａ）及び図１（ｂ）に示すように、チューブ２１〜２３と、チューブ２１とチューブ２２との間に配置されたドリップチャンバ２４と、チューブ２２とチューブ２３との間に配置されたローリングチューブ２５と、チューブ２３の端部に接続されたコネクタ部材２６と、チューブ２３の端部に取り付けられた固定具（ロックナットともいう。）２７とを有する。チューブ２３には、プライミング液としての生理食塩水を回路内に導入するための生食ライン４１と、ヘパリン液を回路内に導入するためのヘパリンライン４２とが接続されている。ドリップチャンバ２４には、モニターライン４３が接続されている。
【００２７】
コネクタ部材２６は、図示による説明は省略するが、チューブ２３とオス型シャントキャップ１００とを接続する管状の部材である。固定具２７は、図示による説明は省略するが、チューブ２３とオス型シャントキャップ１００との接続を固定する管状の部材であって、内部に螺旋状の突起が設けられている。
【００２８】
静脈側回路３０は、図１（ａ）及び図１（ｂ）に示すように、チューブ３１，３２と、チューブ３１とチューブ３２との間に配置されたドリップチャンバ３３と、チューブ３２の端部に接続されたコネクタ部材３４と、チューブ３２の端部に取り付けられた固定具（ロックナットともいう。）３５とを有する。ドリップチャンバ３３には、プライミング処理時に余分な生理食塩水を排出するための排液ライン４４と、モニターライン４５とが接続されている。
【００２９】
コネクタ部材３４は、図示による説明は省略するが、チューブ３２とメス型シャントキャップ２００とを接続する管状の部材である。固定具３５は、図示による説明は省略するが、チューブ３２とメス型シャントキャップ２００との接続を固定する管状の部材であって、内部に螺旋状の突起が設けられている。
【００３０】
次に、オス型シャントキャップ１００の構成について、図２〜図１３を用いて説明する。
図２は、オス型シャントキャップ１００の斜視図である。図３は、オス型シャントキャップ１００の正面図である。図４は、オス型シャントキャップ１００の背面図である。図５は、オス型シャントキャップ１００の左側面図である。図６は、オス型シャントキャップ１００の右側面図である。図７は、オス型シャントキャップ１００の平面図である。図８は、オス型シャントキャップ１００の底面図である。
図９は、嵌合部１２０周辺部分の拡大正面図である。なお、図９においては、突起部１３２の配置位置及び形状の理解を容易にするため、突起部１３２を灰色に着色している。図１０は、オス型シャントキャップ１００の内部構造を説明するために示す図である。図１０（ａ）は図３のＡ−Ａ線断面図であり、図１０（ｂ）は嵌合部１２０周辺部分の拡大断面図である。図１１は、図５のＢ−Ｂ線断面図である。図１２は、図６のＣ−Ｃ線断面の拡大図である。図１３は、オス型シャントキャップ１００の内部構造を説明するために示す図である。図１３（ａ）は図７のＤ−Ｄ線断面図であり、図１３（ｂ）は嵌合部１２０周辺部分の拡大断面図である。
【００３１】
オス型シャントキャップ１００は、図２に示すように、本体部１１０と、本体部１１０の一方端に配置され、所定方向に開口する嵌合部１２０と、嵌合部１２０の開口した部分を閉塞する栓部１４０と、本体部１１０と栓部１４０とを繋ぐ連結部１５０と、本体部１１０の他方端に配置されたコネクタ接続部１６０と、本体部１１０に配置された把持部１７０とを備える。
【００３２】
本体部１１０は、図２、図１０（ａ）及び図１３（ａ）に示すように、例えば円筒形状の管状部材であり、内部に貫通孔１１２が形成されている。
【００３３】
嵌合部１２０は、図２、図９、図１０及び図１３に示すように、貫通孔１２３が内部に形成された管状の内側筒部１２２と、内側筒部１２２の外面１２５を囲むように、内側筒部１２２の外面１２５との間に所定の間隔を設けて配置された外側筒部１２８と、外側筒部１２８の内面１２９の一部に設けられた突起部１３２と、外側筒部１２８の端縁１３１（栓部１４０によって閉塞されたときに栓部１４０と対向する側の端縁）に設けられた切り欠き１３３とを有する。貫通孔１２３は、図１０（ａ）及び図１３（ａ）から分かるように、本体部１１０の貫通孔１１２に通じている。
【００３４】
図１０及び図１３に示すように、内側筒部１２２の内面１２４の形状はストレート状であり、外面１２５の形状はテーパ状である。具体的に説明すると、内側筒部１２２の内径は、端縁１２６側から本体部１１０との接続部分までの間で同じ値となるように設定されている。また、内側筒部１２２の外径は、端縁１２６側から本体部１１０側に向かうにしたがって大きくなるように（ｄ１＜ｄ２となるように）設定されている。
【００３５】
外側筒部１２８の内面１２９の形状は、ストレート状である。外側筒部１２８の端縁１３１の位置は、内側筒部１２２の端縁１２６の位置に対してｄ３の長さ分、本体部１１０とは反対側に偏倚した位置にある。言い換えれば、オス型シャントキャップ１００を正面から見たとき、外側筒部１２８の端縁１３１は、内側筒部１２２の端縁１２６よりもｄ３の長さ分、手前側（正面側）に位置している。
【００３６】
突起部１３２は、図９に示すように、外側筒部１２８の内面１２９に、内側筒部１２２を間に挟んで対向するように上下に計２つ設けられている。突起部１３２を正面から見たときの形状は、所定長さの弦と弧を結んだ形状（皿のような形状）である。
【００３７】
切り欠き１３３は、嵌合部１２０を正面から見たときに左右方向に計２つ設けられている。嵌合部１２０を側面から見たときの切り欠き１３３の形状は、略四角状である（図５及び図６参照。）。
【００３８】
栓部１４０は、図２、図６及び図１２に示すように、嵌合凹部１４２と、鍔部１４４と、嵌合凹部１４２と鍔部１４４との接続部分に配置された２つの突起１４６とを有する。嵌合凹部１４２は円筒状であり、嵌合部１２０の内側筒部１２２と外側筒部１２８とによって形成される隙間に嵌合可能に構成されている。鍔部１４４における嵌合凹部１４２とは反対側の面は、所定の曲率で凹んでいる（図１２参照。）。２つの突起１４６の位置及び形状は、嵌合部１２０の切り欠き１３３の位置及び形状に対応しており、嵌合部１２０に栓部１４０を嵌めたときに、切り欠き１３３に突起１４６を嵌めることができるように構成されている。
【００３９】
連結部１５０は、所定の撓み性を有する。これにより、栓部１４０を嵌合部１２０に比較的容易に嵌めることができる。
【００４０】
コネクタ接続部１６０は、図２、図５及び図６に示すように、ネジ状の突起からなる螺合部１６２と、本体部１１０の他方端の上下に設けられた２つの係止部１６４とを有する。コネクタ接続部１６０に図１に示したコネクタ部材２６が接続され、螺合部１６２に固定具２７が螺合されることとなる。また、固定具２７の内部突起が係止部１６４と噛み合うことにより、固定具２７が係止されることとなる。
【００４１】
把持部１７０は、図５及び図６に示すように、本体部１１０の側面から垂直に立ち上がる立上がり部１７２と、所定の曲率で曲がる曲がり部１７３と、曲がり部１７３から本体部１１０側に向けて直線状に伸びる直線部１７４と、本体部１１０とは反対側に向けて屈曲する屈曲部１７５と、立上がり部１７２から直線部１７４の一部に沿って設けられた薄肉部１７６とを有する。立上がり部１７２の部分の断面形状は、図１１に示すように、略Ｔ字状である。屈曲部１７５と本体部１１０とは接触しておらず、把持部１７０は所定の撓み性を有する。
【００４２】
オス型シャントキャップ１００を構成する各部材は、金型により一体成形されている。オス型シャントキャップ１００を構成する材料としては、例えば、ポリプロピレンやポリエチレンなどのプラスチック材料を好適に用いることができる。
【００４３】
次に、メス型シャントキャップ２００の構成について、図１４〜図１７を用いて説明する。
図１４は、メス型シャントキャップ２００の斜視図である。図１５は、メス型シャントキャップ２００の正面図である。図１６は、メス型シャントキャップ２００の右側面図である。図１７は、図１６のＥ−Ｅ線断面図である。
【００４４】
メス型シャントキャップ２００は、図１４に示すように、本体部２１０と、本体部２１０の一方端に配置され、所定方向に開口する嵌合部２２０と、嵌合部２２０の開口した部分を閉塞する栓部２４０と、本体部２１０と栓部２４０とを繋ぐ連結部２５０と、本体部２１０の他方端に配置されたコネクタ接続部２６０と、本体部２１０に配置された第１把持部２７０及び第２把持部２８０とを備える。
【００４５】
本体部２１０は、図１４〜図１７に示すように、例えば円筒形状の管状部材であり、内部に貫通孔２１２が形成されている。
【００４６】
嵌合部２２０は、図１４及び図１６に示すように、ネジ状の突起からなる螺合部２２２と、本体部２１０の一方端の左右に設けられた２つの係止部２２４とを有する。螺合部２２２及び係止部２２４は、オス型シャントキャップ１００の嵌合部１２０に設けられた突起部１３２と係止する係止手段であって、詳細には後述するが、嵌合部２２０にオス型シャントキャップ１００の嵌合部１２０が接続され、螺合部２２２に嵌合部１２０の突起部１３２が引っ掛かるように構成されている。
【００４７】
栓部２４０は、図１４〜図１６に示すように、嵌合凹部２４２と、嵌合凹部２２の中心部に設けられた嵌合凸部２４４と、略四角状に切り欠かれた切り欠き２４６とを有し、嵌合部２２０を閉塞可能に構成されている。
【００４８】
連結部２５０は、所定の撓み性を有する。これにより、栓部２４０を嵌合部２２０に比較的容易に嵌めることができる。
連結部２５０と本体部２１０との付け根部分には、栓部２４０の切り欠き２４６に対応する形状を有する角型部材２５２が設けられている。この角型部材２５２は、嵌合部２２０に栓部２４０を嵌めたときに切り欠き２４６に嵌まるように構成されている。これにより、嵌合部２２０に栓部２４０を嵌めたときに栓部２４０が回転してしまうのを抑制し、栓部２４０を外れにくくすることができる。
【００４９】
コネクタ接続部２６０は、図１４及び図１６に示すように、ネジ状の突起からなる螺合部２６２と、本体部２１０の他方端の左右に設けられた２つの係止部２６４とを有する。コネクタ接続部２６０に図１に示したコネクタ部材３４が接続され、螺合部２６２に固定具３５が螺合されることとなる。また、固定具３５の内部突起が係止部２６４と噛み合うことにより、固定具３５が係止されることとなる。
【００５０】
第１把持部２７０は、図１６に示すように、本体部２１０の側面から垂直に立ち上がる立上がり部２７２と、所定の曲率で曲がる曲がり部２７３と、曲がり部２７３から本体部２１０側に向けて直線状に伸びる直線部２７４と、本体部２１０とは反対側に向けて屈曲する屈曲部２７５と、立上がり部２７２から直線部２７４の一部に沿って設けられた薄肉部２７６とを有する。立上がり部２７２の部分の断面形状は、図示による説明は省略するが、オス型シャントキャップ１００の場合と同様に、略Ｔ字状である。屈曲部２７５と本体部２１０とは接触しておらず、第１把持部２７０は所定の撓み性を有する。
【００５１】
メス型シャントキャップ２００を構成する各部材は、金型により一体成形されている。メス型シャントキャップ２００を構成する材料としては、例えば、ポリプロピレンやポリエチレンなどのプラスチック材料を好適に用いることができる。
【００５２】
次に、オス型シャントキャップ１００とメス型シャントキャップ２００とが接続される様子について、図１８を用いて説明する。
図１８は、オス型シャントキャップ１００とメス型シャントキャップ２００とが接続される様子を示す図である。図１８（ａ）は接続前のオス型シャントキャップ１００の嵌合部１２０とメス型シャントキャップ２００の嵌合部２２０とを示す図であり、図１８（ｂ）は接続後のオス型シャントキャップ１００の嵌合部１２０とメス型シャントキャップ２００の嵌合部２２０とを示す図である。
【００５３】
オス型シャントキャップ１００とメス型シャントキャップ２００とは、図１８に示すように、オス型シャントキャップ１００の内側筒部１２２と外側筒部１２８とによって形成される隙間に、メス型シャントキャップ２００の嵌合部２２０が嵌まるように構成されている。オス型シャントキャップ１００とメス型シャントキャップ２００とを接続したとき、内側筒部１２２と嵌合部２２０とは、オス−メス嵌合することとなる。
【００５４】
以上のように構成された実施形態に係るオス型シャントキャップ１００によれば、上記した栓部１４０を備えているため、必要時まで嵌合部１２０の開口部分を栓部１４０で閉塞しておくことが可能となる。その結果、メス型シャントキャップ２００との接続部分となる嵌合部１２０が雑菌で汚染されるのを抑制することが可能となる。
また、実施形態に係るオス型シャントキャップ１００によれば、内側筒部１２２の外面１２５を囲むようにして外側筒部１２８が設けられているため、内側筒部１２２の外面１２５が外側筒部１２８でカバーされることとなる。この内側筒部１２２の外面１２５は、メス型シャントキャップ２００との接続時においてメス型シャントキャップ２００の嵌合部２２０の内面と接する部分であることから、内側筒部１２２の外面１２５が外側筒部１２８でカバーされた構成とすることにより、結果として、雑菌汚染の発生をさらに抑制することが可能となる。
したがって、実施形態に係るオス型シャントキャップ１００は、プライミング処理時の雑菌汚染の発生を従来よりも抑制可能なオス型シャントキャップとなる。
【００５５】
実施形態に係るオス型シャントキャップ１００においては、本体部１１０の管軸に対して垂直方向から嵌合部１２０を見たとき、外側筒部１２８の端縁１３１の位置は、内側筒部１２２の端縁１２６の位置に対して本体部１１０とは反対側に偏倚した位置にある。これにより、外側筒部１２８によって内側筒部１２２の外面１２５を確実にカバーすることができるため、雑菌汚染の発生をさらに抑制することが可能となる。
【００５６】
実施形態に係るオス型シャントキャップ１００においては、内側筒部１２２の外径寸法は、端縁１２６側から本体部１１０側に向かうにしたがって大きくなるように設定されている。これにより、メス型シャントキャップ２００との接続が比較的容易となるとともに、メス型シャントキャップ２００との接続をより確実にすることが可能となる。
【００５７】
実施形態に係るオス型シャントキャップ１００においては、外側筒部１２８の内面１２９に設けられた突起部１３２をさらに有するため、オス型シャントキャップ１００とメス型シャントキャップ２００とを接続したときに、オス型シャントキャップ１００の突起部１３２とメス型シャントキャップ２００の螺合部２２２とが互いに引っ掛かり合うこととなる。その結果、メス型シャントキャップ２００との接続強度（外れにくさ）を高めることが可能となる。
【００５８】
実施形態に係るオス型シャントキャップ１００においては、外側筒部１２８の端縁１３１には切り欠き１３３が設けられており、栓部１４０には、切り欠き１３３の形状に対応する形状からなる突起１４６が形成されている。これにより、外側筒部１２８の切り欠き１３３と栓部１４０の突起１４６とが互いに噛み合うようにして栓部１４０を嵌合部１２０に嵌めたときには、液密性を維持することができ、外側筒部１２８の切り欠き１３３と栓部１４０の突起１４６とが噛み合わないように所定量ずらして栓部１４０を嵌合部１２０に嵌めたときには、通気性を確保することができる。
【００５９】
実施形態に係る体外循環回路１は、上記の優れたオス型シャントキャップ１００を備えているため、プライミング処理時の雑菌汚染の発生を従来よりも抑制可能な体外循環回路となる。
【００６０】
以上、本発明のオス型シャントキャップ及び体外循環回路を上記の実施形態に基づいて説明したが、本発明は上記の実施形態に限定されるものではなく、その要旨を逸脱しない範囲において種々の態様において実施することが可能であり、例えば次のような変形も可能である。
【００６１】
（１）上記実施形態においては、外側筒部１２８の端縁１３１の位置が、内側筒部１２２の端縁１２６の位置に対して本体部１１０とは反対側に偏倚した位置にある場合を例示して説明したが、本発明はこれに限定されるものではない。外側筒部の端縁の位置が、内側筒部の端縁の位置と同じ位置にあってもよい。
【００６２】
（２）上記実施形態においては、外側筒部１２８の内面１２９にのみ突起部１３２が設けられている場合を例示して説明したが、本発明はこれに限定されるものではなく、内側筒部１２２の外面１２５にのみ突起部が設けられていてもよいし、外側筒部１２８の内面１２９と内側筒部１２２の外面１２５の両方に突起部が設けられていてもよい。
また、上記実施形態においては、突起部１３２を正面から見たときの形状が、所定長さの弦と弧を結んだ形状（皿のような形状）である場合を例示して説明したが、本発明はこれに限定されるものではない。メス型シャントキャップの嵌合部に設けられた係止手段（実施形態では螺合部２２２及び係止部２２４）と係止可能であれば、他の形状からなっていてもよい。
【００６３】
（３）上記実施形態においては、外側筒部１２８の内面１２９に設けられた突起部１３２が、内側筒部１２２を間に挟んで対向するように上下に計２つ設けられている場合を例示して説明したが、本発明はこれに限定されるものではない。
図１９は、変形例に係る嵌合部１２０ａ周辺部分の拡大正面図である。なお、図１９においては、突起部１３２ａの配置位置及び形状の理解を容易にするため、突起部１３２ａを灰色に着色している。また、図１９において、図９と同一の部材については同一の符号を付し、詳細な説明は省略する。
例えば図１９に示す嵌合部１２０ａのように、突起部１３２ａが、内側筒部１２２を間に挟んで対向するように左右に計２つ設けられていてもよい。
また、上記実施形態においては、突起部１３２が計２つ配置されている場合を例示して説明したが、本発明はこれに限定されるものではなく、１つ又は３つ以上であってもよい。
【００６４】
（４）上記実施形態においては、外側筒部１２８の内面１２９に突起部１３２が設けられている場合を例示して説明したが、本発明はこれに限定されるものではない。例えば、内側筒部１２２の外面１２５の一部及び外側筒部１２８の内面１２９の一部のうち少なくとも一方に、溝が設けられていてもよい。この場合、メス型シャントキャップの嵌合部には、当該溝と係止可能な突起などの係止手段が設けられていることが好ましい。
【００６５】
（５）上記実施形態においては、外側筒部１２８の内面１２９の形状がストレート状である場合を例示して説明したが、本発明はこれに限定されるものではなく、例えば、外側筒部１２８の端縁１３１側から本体部１１０側に向かうにしたがって内径が狭くなるようなテーパ状に形成されていてもよい。
【００６６】
（６）上記実施形態においては、嵌合部１２０に設けられた切り欠き１３３が、嵌合部１２０を正面から見たときに左右方向に計２つ設けられている場合を例示して説明したが、本発明はこれに限定されるものではない。切り欠きの数及び配置位置については、適宜変更可能である。また、切り欠き１３３の形状についても、略四角状に限定されるものではなく、例えば略Ｖ字状や略Ｕ字状など、他の形状であってもよい。この場合、栓部１４０に設けられる突起の数、配置位置及び形状は、切り欠きの数、配置位置及び形状に対応するものであることが好ましい。
【００６７】
（７）上記実施形態においては、本体部１１０が円筒形状の管状部材である場合を例示して説明したが、本発明はこれに限定されるものではなく、例えば角筒形状の管状部材であってもよい。
【００６８】
（８）上記実施形態においては、オス型及びメス型シャントキャップ１００，２００を構成する各部材が、金型により一体成形されている場合を例示して説明したが、本発明はこれに限定されるものではない。例えば、オス型及びメス型シャントキャップを構成する各部材を個別に作成した後、各部材を接合してもよい。
【００６９】
（９）上記実施形態においては、オス型及びメス型シャントキャップ１００，２００が、プラスチック材料（例えば、ポリエチレン、ポリプロピレン等）からなる場合を例示して説明したが、本発明はこれに限定されるものではなく、プラスチック材料以外の材料を用いてもよい。
【００７０】
（１０）本発明のオス型シャントキャップは、上述した回路構成からなる動脈側回路２０及び静脈側回路３０を備える体外循環回路１に限らず、上述の構成とは異なる回路構成からなる回路部材を備える体外循環回路に用いることができる。また、血液透析用の体外循環回路に限らず、他の用途として用いられる体外循環回路（例えば、血漿分離用の体外循環回路や人工心肺用の体外循環回路等）に用いることもできる。
【符号の説明】
【００７１】
１  体外循環回路
１０  血液処理器
２０  動脈側回路
２１〜２３，３１，３２  チューブ
２４，３３  ドリップチャンバ
２５  ローリングチューブ
２６，３４  コネクタ部材
２７，３５  固定具
３０  静脈側回路
４１  生食ライン
４２  ヘパリンライン
４３，４５  モニターライン
４４  排液ライン
１００  オス型シャントキャップ
１１０，２１０  本体部
１１２，２１２  （本体部の）貫通孔
１２０，１２０ａ，２２０  嵌合部
１２２  内側筒部
１２３  貫通孔
１２４  内側筒部の内面
１２５  内側筒部の内面
１２６  内側筒部の端縁
１２８  外側筒部
１２９  外側筒部の内面
１３０  外側筒部の外面
１３１  外側筒部の端縁
１３２，１３２ａ  突起部
１３３  （外側筒部の）切り欠き
１４０，２４０  栓部
１４２，２４２  嵌合凹部
１４４  鍔部
１４６  （栓部の）突起
１５０，２５０  連結部
１６０，２６０  コネクタ接続部
１６２，２２２，２６２  螺合部
１６４，２２４，２６４  係止部
１７０  把持部
１７２，２７２  立上がり部
１７３，２７３  曲がり部
１７４，２７４  直線部
１７５，２７５  屈曲部
１７６，２７６  薄肉部
２４４  嵌合凸部
２４６  （栓部の）切り欠き
２５２  角型部材
２７０  第１把持部
２８０  第２把持部
ｄ１，ｄ２  内側筒部の外径
ｄ３  内側筒部の端縁から外側筒部の端縁までの長さ
【図１】
2010279494.tif 000003
【図２】
2010279494.tif 000004
【図３】
2010279494.tif 000005
【図４】
2010279494.tif 000006
【図５】
2010279494.tif 000007
【図６】
2010279494.tif 000008
【図７】
2010279494.tif 000009
【図８】
2010279494.tif 000010
【図９】
2010279494.tif 000011
【図１０】
2010279494.tif 000012
【図１１】
2010279494.tif 000013
【図１２】
2010279494.tif 000014
【図１３】
2010279494.tif 000015
【図１５】
2010279494.tif 000016
【図１６】
2010279494.tif 000017
【図１７】
2010279494.tif 000018
【図１８】
2010279494.tif 000019
【図１９】
2010279494.tif 000020
【図２０】
2010279494.tif 000021
【図１４】
2010279494.tif 000022